(57)【要約】【課題】安定した温水と洗浄剤との混合を行うことができるシャワー装置を提供する。【解決手段】温水を放出するシャワー装置１が、溶液を収納する溶液タンク２０，３０，４０、水道本管１０からの温水と溶液タンク２０からの溶液とを混合するＬ字型ジョイント部１３、温水と溶液タンク３０，４０からの溶液とを混合するＬ字型ジョイント部１３０、を備える。この装置は、水圧ジャバラタンク２１に温水が供給されると、水圧ジャバラタンク２１が膨らんで溶液ジャバラタンク２２に圧力が加わり、溶液が溶液タンク２０からＬ字型ジョイント部１３に送出される。【選択図】図１
0003233875.tif 000002
【実用新案登録請求の範囲】
【請求項１】
水道本管と、
所定の溶液を収納する溶液タンクと、
前記水道本管から供給される温水と前記溶液タンクから供給される前記溶液とを混合して混合液を生成するジョイント部と、
前記混合液を放出するシャワーヘッドと、
前記ジョイント部から前記シャワーヘッドに前記混合液を送るシャワーホースと、
を備え、
前記溶液タンクは、
所定方向に伸縮するジャバラ状に形成され、前記水道本管から前記温水が供給されるように配管接続された水圧ジャバラタンクと、
所定方向に伸縮するジャバラ状に形成され、前記溶液を収納して、該溶液を前記ジョイント部へ送出するように配管接続された溶液ジャバラタンクと、
を有し、
前記温水の供給によって伸びた前記水圧ジャバラタンクから前記溶液ジャバラタンクに圧力が加わり、前記圧力によって前記溶液ジャバラタンクから前記溶液が送出されるように、前記水圧ジャバラタンクの伸縮方向と前記溶液ジャバラタンクの伸縮方向とを同一直線上で連ねて前記水圧ジャバラタンクと前記溶液ジャバラタンクとを当接配置した、
ことを特徴とするシャワー装置。
【請求項２】
前記ジョイント部は、
前記水道本管から供給された前記温水の流れと、前記溶液タンクから送液ホースを介して供給された前記溶液の流れと、を蛇行させる略Ｓ字状に形成された導水部と、
前記導水部の内部に配置され、前記導水部に接続される前記水道本管の端部と前記導水部に接続される前記送液ホースの端部との間を移動して前記水道本管の端部または前記送液ホースの端部のいずれか一方を塞ぐ調整プレートと、
前記ジョイント部の外部側に配置され、前記調整プレートに接続されて該調整プレートの配置位置を移動させる操作部材と、
を備え、
前記調整プレートは、
前記操作部材に行われた操作に応じて、前記水道本管の端部から供給される温水量と前記送液ホースの端部から供給される溶液量とを相対的に増減させるように前記配置位置が移動する、
ことを特徴とする請求項１に記載のシャワー装置。
【請求項３】
複数の前記溶液タンクと、前記複数の溶液タンクから送出される各溶液をそれぞれ前記温水に混合する複数の前記ジョイント部と、
を備えることを特徴とする請求項１または請求項２に記載のシャワー装置。
【考案の詳細な説明】
【技術分野】
【０００１】
本開示は、シャンプーなどの溶液と温水等とを混合してシャワーヘッドから放出するシャワー装置に関する。
【背景技術】
【０００２】
一般にシャワーを用いて身体等を洗浄するとき、ボディソープやシャンプー等の洗浄剤を手に取って身体等に塗布し、その後、シャワーから放出される温水によって洗浄剤を洗い流している。
ボディソープやシャンプー等の洗浄剤を手に取って身体等に塗布する手間を省くため、上記の洗浄剤を温水に混合して、身体等に向かって放出させる装置がある。
例えば、温水を供給する蛇口等の水栓とシャワーホースとの間に取り付けることにより、容器内の洗浄剤と水栓から供給される温水とを混合する装置がある（特許文献１）。
この装置は、水柱からの水流によって開く弁を備え、この弁が開いている間、洗浄剤と温水とを混合してシャワーヘッドから放出するように構成されている。また、この装置は、容器内の洗浄剤を使いきると、温水のみをシャワーヘッドから放出することができる。
【０００３】
また、例えば、ホース管（シャワーホース）が接続された送水管に、洗浄剤を入れた収容槽を接続し、収容槽から供給された洗浄剤と送水管を流れる温水とを混合してシャワーヘッドから放出する装置がある（特許文献２）。
この装置は、収容槽の底面に接続された分岐管を介して、送水管に洗浄剤が供給されるように構成されている。
詳しくは、この装置は、送水管内の水流によって生じる負圧を用いて、収容槽内から洗浄剤を送水管内に導入し、送水管内に設けられた抵抗体によって温水と洗浄剤とを混合するように構成されている。
【先行技術文献】
【特許文献】
【０００４】
【特許文献１】特開平１０−２５２１２１号公報
【特許文献２】特開２００７−１６７４８１号公報
【考案の概要】
【考案が解決しようとする課題】
【０００５】
特許文献１の装置は、上記のように構成されているので、温水に混合する洗浄剤の量を一定に調節することができないため、安定した混合液の生成が難しい。
また、特許文献２の装置は、送水管内の負圧を用いているため、シャワーヘッドから放出する水量を少量に調節すると、十分な量の洗浄剤を混合することができなくなり、混合液の生成が不安定になる。
【０００６】
本開示は、上記の問題に鑑み行われたもので、安定した温水と洗浄剤との混合を行うことができるシャワー装置を提供する。
【課題を解決するための手段】
【０００７】
本開示に係るシャワー装置は、水道本管と、所定の溶液を収納する溶液タンクと、前記水道本管から供給される温水と前記溶液タンクから供給される前記溶液とを混合して混合液を生成するジョイント部と、前記混合液を放出するシャワーヘッドと、前記ジョイント部から前記シャワーヘッドに前記混合液を送るシャワーホースと、を備え、前記溶液タンクは、所定方向に伸縮するジャバラ状に形成され、前記水道本管から前記温水が供給されるように配管接続された水圧ジャバラタンクと、所定方向に伸縮するジャバラ状に形成され、前記溶液を収納して、該溶液を前記ジョイント部へ送出するように配管接続された溶液ジャバラタンクと、を有し、前記温水の供給によって伸びた前記水圧ジャバラタンクから前記溶液ジャバラタンクに圧力が加わり、前記圧力によって前記溶液ジャバラタンクから前記溶液が送出されるように、前記水圧ジャバラタンクの伸縮方向と前記溶液ジャバラタンクの伸縮方向とを同一直線上で連ねて前記水圧ジャバラタンクと前記溶液ジャバラタンクとを当接配置したことを特徴とする。
【０００８】
また、前記ジョイント部は、前記水道本管から供給された前記温水の流れと、前記溶液タンクから送液ホースを介して供給された前記溶液の流れと、を蛇行させる略Ｓ字状に形成された導水部と、前記導水部の内部に配置され、前記導水部に接続される前記水道本管の端部と前記導水部に接続される前記送液ホースの端部との間を移動して前記水道本管の端部または前記送液ホースの端部のいずれか一方を塞ぐ調整プレートと、前記ジョイント部の外部側に配置され、前記調整プレートに接続されて該調整プレートの配置位置を移動させる操作部材と、を備え、前記調整プレートは、前記操作部材に行われた操作に応じて、前記水道本管の端部から供給される温水量と前記送液ホースの端部から供給される溶液量とを相対的に増減させるように前記配置位置が移動することを特徴とする。
【０００９】
また、複数の前記溶液タンクと、前記複数の溶液タンクから送出される各溶液をそれぞれ前記温水と混合する複数の前記ジョイント部と、を備えることを特徴とする。
【考案の効果】
【００１０】
本開示によれば、温水と溶液とを十分に混合して安定した混合液をシャワーヘッドから放出することができる。
【図面の簡単な説明】
【００１１】
【図１】本開示の実施の形態によるシャワー装置の構成を示す説明図である。
【図２】図１の溶液タンクの外部の構成を示す説明図である。
【図３】図１の溶液タンクの内部の構成を示す説明図である。
【図４】図１のシャワー装置にさらに複数の溶液タンクを備える場合の構成を示す説明図である。
【図５】図１のL字型ジョイント部の外観を示す説明図である。
【図６】図１のL字型ジョイント部の内部構成を示す説明図である。
【図７】温水をシャワーヘッドから放出するときのＬ字型ジョイント部の状態を示す説明図である。
【図８】溶液をシャワーヘッドから放出するときのＬ字型ジョイント部の状態を示す説明図である。
【考案を実施するための形態】
【００１２】
以下、この考案の実施の一形態を説明する。
【００１３】
図１は、本開示の実施の形態によるシャワー装置１の構成を示す説明図である。
シャワー装置１は、図示されない給湯器等から温水が供給される水道本管１０、水道本管１０に供給される水量調整ならびに遮断を行う水道本管元栓１１を備えている。
また、シャワー装置１は、それぞれ洗浄剤等の溶液を収納する溶液タンク２０，３０，４０、水道本管１０の終端に接続されるシャワーホース１４、シャワーホース１４の先端に接続されるシャワーヘッド１４ａを備えている。
なお、シャワーホース１４は、ホース孔内側に複数の凹凸（ジャバラ凹凸）が形成されており、また、長さ方向において伸縮することができるジャバラホースである。
【００１４】
シャワー装置１は、水道本管１０からの水流を溶液タンク２０に供給するジャバラホース１２ａ（第１のジャバラホース）、溶液タンク２０から溶液を送出する送液ホース２４および水道本管１０が接続するＬ字型ジョイント部１３を備えている。
送液ホース２４とＬ字型ジョイント部１３との接続部分には、Ｌ字型ジョイント部１３に供給する溶液量を調整する液量調整バルブ２５が設置されている。
【００１５】
シャワー装置１は、水道本管１０からの水流を溶液タンク３０に供給するジャバラホース１２ｂ（第２のジャバラホース）、溶液タンク３０から溶液を送出する送液ホース３４、溶液タンク４０から溶液を送出する送液ホース４４を備えている。
また、シャワー装置１は、送液ホース３４および送液ホース４４が接続され、例えば、これらのホースによって送られてきた溶液のいずれか一方を送液ホース３６に送出する切替えバルブ４５（切替えコック）、送液ホース３６を水道本管１０と接続するＬ字型ジョイント部１３０を備えている。
送液ホース３６とＬ字型ジョイント部１３０との接続部分には、Ｌ字型ジョイント部１３０に供給する溶液の量を調整する液量調整バルブ３５が設置されている。
【００１６】
なお、溶液タンク４０は、前述の溶液タンク２０等と同様に、水道本管１０からの水流が供給されるように、図示されない第３のジャバラホースによって水道本管１０に接続されている。上記の第３のジャバラホースは、ジャバラホース１２ａ，１２ｂと同様なものである。
切替えバルブ４５は、使用者等が操作する操作部材を備え、この操作部材に行われた操作に応じて、溶液タンク３０から送られてくる溶液、および、溶液タンク４０から送られてくる溶液のうち、いずれか一方を送液ホース３６へ送出し、他方を遮断するように構成されているが、さらに、使用者等の操作に応じて、溶液タンク３０からの溶液と溶液タンク４０からの溶液とを任意の比率で混合することを可能に構成したものでもよい。
【００１７】
シャワー装置１は、切替えバルブ４５を備えることにより、例えば、溶液タンク３０および溶液タンク４０に同様な溶液を収納しておき、溶液タンク３０内部の溶液が空になったとき、切替えバルブ４５を用いて、送液ホース３４と送液ホース３６との接続から、送液ホース４４と送液ホース３６との接続に切替え、溶液タンク４０からの溶液をＬ字型ジョイント部１３０へ供給することが可能になる。即ち、溶液タンク４０を、溶液タンク３０の予備タンクとして用いることができる。
また、例えば、溶液タンク３０と溶液タンク４０に、それぞれ異なる溶液を収納しておき、切替えバルブ４５を適度に調整して溶液タンク３０の溶液と溶液タンク４０の溶液とを所望の比率で混合して、洗浄等に使用することも可能になる。
【００１８】
図２は、図１の溶液タンク２０の外部の構成を示す説明図である。
溶液タンク２０は、例えば、外部が箱状に形成され、上面部分に開閉可能な上蓋部２８を備えている。
溶液タンク２０の側面部２０ａ（第１の側面部）には、水道本管１０に一端が接続されたジャバラホース１２ａを、溶液タンク２０内部に挿入させるジャバラホースガイド部２６が設けられている。
【００１９】
ジャバラホースガイド部２６は、例えば、溶液タンク２０の上下方向に延設された長孔であり、溶液タンク２０内部に挿入されたジャバラホース１２ａの位置決めを行い、ジャバラホース１２ａが溶液タンク２０の上下方向に（滑らかに）移動することができるように、例えばレール部材を長孔の縁辺部分に設置している。
また、ジャバラホースガイド部２６は、側面部２０ａの上端まで延設されており、当該側面部２０ａ上端において、ジャバラホースガイド部２６からジャバラホース１２ａを開放する（上方に抜き取る）ことができるように形成されている。
【００２０】
溶液タンク２０の側面部２０ｂ（第２の側面部）には、洗浄剤等の溶液を投入する溶液投入部２３を、溶液タンク２０の内部側から外部へ突出させる溶液投入部ガイド部２７が設けられている。
溶液投入部ガイド部２７は、溶液タンク２０の上下方向に延設された長孔であり、溶液タンク２０外部に突出する溶液投入部２３の位置決めを行い、溶液投入部２３が溶液タンク２０の上下方向に（滑らかに）移動することができるように、例えばレール部材を長孔の縁辺部分に設置している。
また、溶液投入部ガイド部２７は、側面部２０ｂの上端まで延設されており、当該側面部２０ｂ上端において、溶液投入部ガイド部２７から溶液投入部２３を開放する（上方に抜き取る）ことができるように形成されている。
【００２１】
溶液タンク２０の底面部２０ｃには、洗浄剤等の溶液を溶液タンク２０外部に送出する送液ホース２４が接続されている。詳しくは、底面部２０ｃに設けられた孔部等を介して、送液ホース２４の一端が送液タンク２０内部に挿入されている。
【００２２】
図３は、図１の溶液タンク２０の内部の構成を示す説明図である。この図は、図２に示した溶液タンク２０の内部に備えられる各部を示している。
溶液タンク２０の底面側（下側）には、所定方向（例えば、図３において上下方向）に伸縮するジャバラ状に形成され、シャンプーやボディソープ等の洗浄剤（溶液）を収納させる溶液ジャバラタンク２２が配置されている。溶液ジャバラタンク２２は、例えば、側面の上側部分に溶液投入部２３が接続固定されている。
溶液タンク２０の上側部分には、所定方向（例えば、図３において上下方向）に伸縮するジャバラ状に形成され、水道本管１０から供給された温水等を駐留させる水圧ジャバラタンク２１が配置されている。
【００２３】
即ち、溶液タンク２０は、内部において溶液ジャバラタンク２２の上側に水圧ジャバラタンク２１を積み重ねてこれらを当接配置させている。
溶液ジャバラタンク２２および水圧ジャバラタンク２１は、内部に駐留する液量に応じて、いずれも溶液タンク２０の上下方向（ジャバラホースガイド部２６および溶液投入部ガイド部２７の延設方向）に伸縮するように、即ち、水圧ジャバラタンク２１の伸縮方向と溶液ジャバラタンク２２の伸縮方向とが同一直線上で連なるように（それぞれの伸縮が連動するように）配置されている。
換言すると、ジャバラホースガイド部２６および溶液投入部ガイド部２７は、水圧ジャバラタンク２１および溶液ジャバラタンク２２の伸縮方向に延設されている。
【００２４】
水圧ジャバラタンク２１は、例えば、水圧ジャバラタンク２１の側方部分に、ジャバラホース１２ａの他端を接続固定するように構成されている。
ジャバラホース１２ａの他端は、水圧ジャバラタンク接続キャップ２９を用いて、水圧ジャバラタンク２１からの着脱（締結固定および取り外し）が可能となるように固定されている。
【００２５】
溶液ジャバラタンク２２は、底面部分に送液ホース２４の一端を接続固定するように構成されている。
送液ホース２４の一端は、溶液ジャバラタンク接続キャップ２１０を用いて、溶液ジャバラタンク２２からの着脱（締結固定および取り外し）が可能となるように固定されている。
【００２６】
溶液タンク２０は、例えば、水圧ジャバラタンク接続キャップ２９の締結を解除して、水圧ジャバラタンク２１からジャバラホース１２ａを取り外すと、上蓋部２８を開けた（溶液タンク２０の上側）部分から水圧ジャバラタンク２１を取り出すことができるように構成されている。
また、溶液タンク２０は、上記のように水圧ジャバラタンク２１を取り出した後、溶液ジャバラタンク接続キャップ２１０の締結を解除して、溶液ジャバラタンク２２から送液ホース２４を取り外すと、溶液タンク２０の上側部分から溶液ジャバラタンク２２を取り出すことができるように構成されている。
上記のように、水圧ジャバラタンク２１、溶液ジャバラタンク２２を取り出すことにより、これらのタンク内部を容易に清掃（洗浄）することが可能になる。
【００２７】
ここで説明した溶液タンク２０は、水圧ジャバラタンク２１が上側に、溶液ジャバラタンク２２が下側に配置されるように、即ち、垂直に倒立するように溶液タンク２０を構成しているが、溶液タンク２０は、このような構成に限定されず、例えば、水圧ジャバラタンク２１と溶液ジャバラタンク２２とが水平方向において並ぶように、即ち、溶液タンク２０の長手方向が水平になるように構成してもよい。
また、溶液タンク２０は、水圧ジャバラタンク２１と溶液ジャバラタンク２２とを、斜め方向に重ねて配置し、当該溶液タンク２０が斜めに傾いた状態で設置されるように構成してもよい。
【００２８】
なお、上記のように構成された場合でも、水圧ジャバラタンク２１の伸縮方向と溶液ジャバラタンク２２の伸縮方向が同一直線上で連なるように、水圧ジャバラタンク２１および溶液ジャバラタンク２２が配置される。
また、図２等に例示した溶液タンク２０は、箱状に形成されているが、例えば、筒状に形成してもよく、溶液タンク２０の形状は箱状に限定されない。
【００２９】
図１に示した溶液タンク３０は、図２および図３を用いて説明した溶液タンク２０と同様に構成されており、水圧ジャバラタンク２１に相当する水圧ジャバラタンク３１、溶液ジャバラタンク２２に相当する溶液ジャバラタンク３２を内部に備えている。
水圧ジャバラタンク３１は、ジャバラホース１２ｂが、水圧ジャバラタンク２１に接続固定されたジャバラホース１２ａと同様に、着脱可能に接続固定されている。
【００３０】
溶液ジャバラタンク３２は、送液ホース３４が、前述の送液ホース２４と同様に、着脱可能に接続固定されている。また、溶液ジャバラタンク３２には、溶液投入部２３と同様に構成された溶液投入部３３が接続固定されている。
また、図１に示した溶液タンク４０は、溶液タンク２０および溶液タンク３０と同様に構成されている。
溶液タンク３０ならびに溶液タンク４０は、溶液タンク２０に収納する溶液と同一、あるいは異なる種類の溶液を収納するもので、同一の溶液を収納した場合には、これらを溶液タンク２０の予備タンクとして使用することができる。
上記の溶液タンク３０ならびに溶液タンク４０についても、溶液タンク２０と同様に、垂直に倒立させた設置構成に限定されず、水平に寝かせた状態や斜めに傾いた状態で設置することができるように構成してもよい。
【００３１】
図４は、シャワー装置１に溶液タンク５０，６０，７０，８０，９０を備える場合の構成を示す説明図である。この図は、例えば、図１に示した溶液タンク２０に替えて、溶液タンク５０，６０，７０，８０，９０を備えるときの配管構成等を示している。
溶液タンク５０，６０，７０，８０，９０は、前述の溶液タンク２０等と同様に構成されたものである。
なお、図４においては、溶液タンク５０，６０，７０，８０，９０にそれぞれ接続されるジャバラホース１２ａ等の図示を省略している。
【００３２】
溶液タンク５０，６０，７０，８０，９０は、各溶液タンクに収納されている溶液を送出する送液ホース２４ａが接続されている。
送液ホース２４ａは、適当な位置において例えば５本に分岐し、分岐された各先端部分がそれぞれ溶液タンク５０，６０，７０，８０，９０と接続されている。また、送液ホース２４ａの１本に集合された部分は、例えば、液量調整バルブ２５を介してＬ字型ジョイント部１３等に接続されている。
【００３３】
送液ホース２４ａは、分岐された部分の先端側、具体的には、各溶液タンクと接続される部分の近傍等（以下、接続部分等と記載する）にそれぞれ液量調整バルブを備えており、溶液タンク５０との接続部分には液量調整バルブ５５が設置され、溶液タンク６０との接続部分等には液量調整バルブ６５が設置されている。また、送液ホース２４ａは、溶液タンク７０との接続部分には液量調整バルブ７５が設置され、溶液タンク８０との接続部分には液量調整バルブ８５が設置され、溶液タンク９０との接続部分には液量調整バルブ９５が設置されている。
【００３４】
液量調整バルブ５５，６５，７５，８５，９５は、使用者等が行った操作に応じて、それぞれの液量調整バルブが接続されている溶液タンクからの、溶液送出と遮断とを切替えることができるように構成されている。またさらに、液量調整バルブ５５，６５，７５，８５，９５は、使用者等が行った操作に応じて、送出される液量を調整することができるように構成されている。
図４に例示した構成を備えたシャワー装置１を使用するときには、所望の溶液を収納している溶液タンクの液量調整バルブを開放し、使用しない溶液を収納している溶液タンクの液量調整バルブを閉じて溶液送出を遮断しておく。
なお、溶液タンク５０，６０，７０，８０，９０に収納する溶液は、同一溶液、異なる溶液のいずれでもよく、数種類の溶液をそれぞれ異なる溶液タンクに収納し、各溶液を混合して使用することや、各溶液を使い分けることが可能になる。また、複数個の溶液タンクに同一の溶液を収納して、任意の溶液タンクを予備タンクとして使用する(予備タンクを増設する)こともできる。
【００３５】
図４に例示した構成では、５個の溶液タンク５０，６０，７０，８０，９０を備え、５本に分岐された送液ホース２４ａを上記の各溶液タンクに接続しているが、溶液タンクの数量に応じて分岐させた送液ホースを用いる場合には、溶液タンクの数量は５個に限定されず、所望の個数の溶液タンク、また、この個数に対応して分岐された送液ホース２４ａ等を備えて構成することができる。
即ち、２個以上の溶液タンクと、当該溶液タンクの数量と同数の分岐部分を有する送液ホースとを用いて構成することができる。
なお、２個の溶液タンクを備える場合には、図１に示した溶液タンク３０と溶液タンク４０のように配管構成することも可能であり、使い勝手や製造コスト等を考慮して、いずれかの構成を用いるとよい。
【００３６】
図５は、図１のＬ字型ジョイント部１３０の外観を示す説明図である。Ｌ字型ジョイント部１３０は、例えば、正面形状がＬ字型に形成された筐体１３０ａを有し、Ｌ字の垂直辺先端に水道本管１０を接続し、Ｌ字の下端にシャワーホース１４を接続し、Ｌ字の底辺先端に送液ホース３４を接続している。
【００３７】
水道本管１０は、接続キャップ１５を用いてＬ字型ジョイント部１３０に接続固定されている。
詳しくは、水道本管１０は、例えば、接続キャップ１５をＬ字型ジョイント部１３０に締結することにより、後述する導水部１３０ｂに水道本管１０の端部（開口部）が接続され、導水部１３０ｂの外部に温水等が漏れないように固定される。
この水道本管１０の固定部分は、接続キャップ１５の締結等を解除すると、容易にＬ字型ジョイント部１３０から水道本管１０を取り外すことができるように構成されている。
【００３８】
送液ホース３４は、接続キャップ１６を用いてＬ字型ジョイント部１３０に接続固定されている。
詳しくは、送液ホース３４は、例えば、接続キャップ１６をＬ字型ジョイント部１３０に締結することにより、後述する導水部１３０ｂに送液ホース３４の端部（開口部）が接続され、導水部１３０ｂの外部に溶液等が漏れないように固定される。
この送液ホース３４の固定部分は、接続キャップ１６の締結等を解除すると、容易にＬ字型ジョイント部１３０から送液ホース３４を取り外すことができるように構成されている。
【００３９】
シャワーホース１４は、接続キャップ１７を用いてＬ字型ジョイント部１３０に接続固定されている。
詳しくは、シャワーホース１４は、例えば、接続キャップ１７をＬ字型ジョイント部１３０に締結することにより、後述する導水部１３０ｂにシャワーホース１４の端部（開口部）が接続され、導水部１３０ｂの外部に温水ならびに溶液等が漏れないように固定される。
このシャワーホース１４の固定部分は、接続キャップ１７の締結等を解除すると、容易にＬ字型ジョイント部１３０からシャワーホース１４を取り外すことができるように構成されている。
【００４０】
Ｌ字型ジョイント部１３０は、前述のように、水道本管１０、送液ホース３４、シャワーホース１４を、それぞれ接続固定ならびに取り外しができるように構成されており、またさらに、これらを取り外したとき、当該Ｌ字型ジョイント部１３０を分解して、内部に蓄積した不純物などを清掃することができるように構成されている。
また、Ｌ字型ジョイント部１３０は、筐体１３０ａの外側部分において、Ｌ字の垂直辺と底辺との接続部分（Ｌ字の角部分）に、操作レバー１３ｂ（操作部材）が設置されている。操作レバー１３ｂは、後述する軸部材１３ｃが接続固定されており、操作レバー１３ｂを回転させると軸部材１３ｃが軸回転する。
【００４１】
なお、図１のＬ字型ジョイント部１３は、Ｌ字型ジョイント部１３０と同様に内部が構成されている。
Ｌ字型ジョイント部１３は、例えば、上流側の水道本管１０が接続され、送液ホース３４に替えて送液ホース２４が接続され、シャワーホース１４に替えて下流側の水道本管１０が接続されることがＬ字型ジョイント部１３０と異なり、内部の構成等はＬ字型ジョイント部１３０と同様である。
ここでは、Ｌ字型ジョイント部１３０を例示して説明する。
【００４２】
図６は、図１のＬ字型ジョイント部１３０の内部構成を示す説明図である。この図は、Ｌ字型ジョイント部１３０の断面図であり、図５に示した接続キャップ１５，１６，１７等の図示を省略している。
筐体１３０ａの内部には、水道本管１０、送液ホース３４、シャワーホース１４が接続され、水道本管１０および送液ホース３４によって送られてくる液体、および、シャワーホース１４に送り出す液体が外部へ漏れないように形成された、略Ｓ字状の導水部１３０ｂが備えられている。
【００４３】
導水部１３０ｂは、例えば、水道本管１０と送液ホース３４とを直交させるように、これらの端部と接続し、水道本管１０から放出される温水、および、送液ホース３４から放出される溶液の各量（導水部１３０ｂ内に流入する量）を調整する混合調整プレート１３ａを備えている。
混合調整プレート１３ａは、板状部材によって形成され、板面の一端部分に、前述の軸部材１３ｃが固定されている。即ち、混合調整プレート１３ａは、操作レバー１３ｂに接続されている。
【００４４】
混合調整プレート１３ａは、直交配置されている水道本管１０端部の開口部と送液ホース３４端部の開口部との間に配置されており、操作レバー１３ｂに行われた操作に応じて、水道本管１０から送出される温水量と、送液ホース３４から送出される溶液量との比率を変化させるように設けられている。
換言すると、混合調整プレート１３ａは、水道本管１０の端部に当接することができる位置と、送液ホース３４の端部に当接することができる位置との間を移動することができるように設置されている。また、混合調整プレート１３ａは、水道本管１０の端部から供給される温水量と、送液ホース３４の端部から供給される溶液量とを相対的に増減させるように配置位置が移動する。
また、混合調整プレート１３ａは、水道本管１０の端部および送液ホース３４の端部のどちらにも当接していない（塞いでいない）ときには、導水部１３０ｂ内部において、水道本管１０から放出される温水、および、送液ホース３４から放出される溶液の各流れが当たり、それぞれの方向に流れが変化するように配置されている。
【００４５】
導水部１３０ｂは、水道本管１０から放出され、混合調整プレート１３ａ等を通過した温水の流れに当たって、例えば、概ねの流れを９０度以下の鋭角方向に変化させる円形ホール部１３ｄを有している。
円形ホール部１３ｄは、導水部１３０ｂ内部において、例えば、略半球状の凹面となるように形成された部分である。
なお、この円形ホール部１３ｄは、送液ホース３４から放出され、混合調整プレート１３ａに当たった溶液についても、流れる方向を変化させる。
【００４６】
また、導水部１３０ｂは、円形ホール部１３ｄを通過した温水等の流れを、シャワーホース１４の端部に向かって変化させる円形コーナー部１３ｅを有している。この円形コーナー部１３ｅは、円形ホール部１３ｄに連結された曲管部分である。
即ち、導水部１３０ｂは、円形ホール部１３ｄと円形コーナー部１３ｅとを連ねて備えており、水道本管１０からシャワーホース１４へ向かって流れる水流を、例えば略Ｓ字状に変化させるように形成されている。
【００４７】
なお、ここで説明するシャワー装置１は、上記のようなＬ字型ジョイント部１３０等を備えて構成されているが、シャワー装置１において、溶液と温水とを混合するジョイント部は、Ｌ字型ジョイント部１３０等に限定されず、例えば、強い渦流を発生させて温水と溶液とを撹拌混合するように構成しものでもよい。
また、Ｌ字型ジョイント部１３０等の内部に導水部１３０ｂを備えることなく、即ち、導水部１３０ｂに替えて、温水と溶液とを撹拌混合する構造体等を備えて、Ｌ字型ジョイント部１３０等をシャワー装置１に備えることも可能である。
【００４８】
次に動作について説明する。
シャワー装置１を使用する前に、予めシャンプーやボディソープなどの洗浄剤（溶液）を、溶液投入部２３に投入し、溶液ジャバラタンク２２に収納しておく。
このとき、液量調整バルブ２５を閉じておき、溶液ジャバラタンク２２内部に、溶液投入部２３から投入された溶液が溜まるようにしておく。
また、水道本管元栓１１を閉じておき、水圧ジャバラタンク２１内部の圧力が高くならないようにしておく。
【００４９】
溶液タンク３０に溶液を投入する場合にも、上記の溶液タンク２０に行う場合と同様に、水道本管元栓１１を閉じておき、また、液量調整バルブ３５を閉じておき、溶液投入部３３から溶液を投入する。溶液タンク４０についても同様に、切替えバルブ４５等を閉じておき、溶液を投入する。
なお、溶液タンク２０、溶液タンク３０、溶液タンク４０に収納する溶液は、同様な溶液でもよく、また、それぞれ異なる溶液を収納してもよい。
【００５０】
上記のように、水道本管元栓１１を閉じている間は、水圧ジャバラタンク２１等に温水等が供給されず、水道本管元栓１１を開いているときに比べて水圧ジャバラタンク２１等の内部圧力が低くなり、水圧ジャバラタンク２１等に溜まっていた温水等が、ジャバラホース１２ａ等を介して水道本管１０側に排出される。
【００５１】
図１の溶液タンク３０は、水道本管元栓１１を閉じておき、溶液ジャバラタンク３２に溶液を投入した後の状態を示している。
溶液ジャバラタンク３２は、内部に溶液が溜まると上方に膨らみ（上方に伸びて）、水圧ジャバラタンク３１を縮めるように下方から押圧を加える。このように押圧が加えられた水圧ジャバラタンク３１は、上下方向において縮み、内部の温水等が押し出されて（ジャバラホース１２ｂを介して）水道本管１０側に排出される。
【００５２】
即ち、水圧ジャバラタンク３１（水圧ジャバラタンク２１等）は、水道本管元栓１１が閉じられて内部圧力が低下すると、溜まっていた温水等を排出し、また、溶液が投入されて溶液ジャバラタンク３２（溶液ジャバラタンク２２等）が膨らんだ場合においても、溜まっていた温水等を排出する。
【００５３】
シャワー装置１は、温水のみをシャワーヘッド１４ａから放出させる場合には、後述する図７を用いた説明のように、Ｌ字型ジョイント部１３（Ｌ字型ジョイント部１３０）の操作レバー１３ｂを操作し、Ｌ字型ジョイント部１３等の内部で温水と溶液との混合が行われないように設定しておき、水道本管元栓１１を開く。
また、任意の溶液と温水とを混合してシャワーヘッド１４ａから放出させる場合には、後述する図６を用いた説明のように、Ｌ字型ジョイント部１３（Ｌ字型ジョイント部１３０）の操作レバー１３ｂを操作し、Ｌ字型ジョイント部１３等の内部で温水と溶液との混合が行われるように設定しておき、水道本管元栓１１を開く。
なお、任意の溶液を収納している、例えば、溶液タンク２０に対応する液量調整バルブ２５（溶液タンク３０ならびに溶液タンク４０に対応する液量調整バルブ３５、溶液タンク３０からの溶液と溶液タンク４０からの溶液とを切替える切替えバルブ４５等）は、例えばシャワー装置１を使用する前に、適当な開度、または、設定となるように調整しておく。
【００５４】
水道本管元栓１１を開くと、図１の溶液タンク２０のように、水道本管１０を流れる温水の一部分がジャバラホース１２ａを介して水圧ジャバラタンク２１内部に流れ込む。
すると、水圧ジャバラタンク２１内部の圧力が高くなって、当該水圧ジャバラタンク２１が膨らみ（下方に伸びて）、溶液ジャバラタンク２２には、上方から圧力（溶液ジャバラタンク２２を下方に縮める力）が加わる。
このように上方から圧力が加わった溶液ジャバラタンク２２は、内部に収納されている溶液を送液ホース２４に送出する。
【００５５】
溶液ジャバラタンク２２には、上記のように圧力が加わっているため、当該溶液ジャバラタンク２２から送出される溶液は、送液ホース２４を介して液量調整バルブ２５に圧送され、さらにＬ字型ジョイント部１３に供給される。このとき、液量調整バルブ２５の開度に応じた量の溶液がＬ字型ジョイント部１３に供給され、当該Ｌ字型ジョイント部１３内部において、この溶液が水道本管１０を流れる温水に混合される。
【００５６】
Ｌ字型ジョイント部１３は、前述のようにＬ字型ジョイント部１３０と同様に構成されている。ここでは、Ｌ字型ジョイント部１３０を例示し、図６を用いて溶液と温水とを混合する動作を説明する。
図５に示した操作レバー１３ｂが操作されて軸部材１３ｃが回転すると、この回転に応じて混合調整プレート１３ａが回転する。この回転によって、水道本管１０から導水部１３０ｂ内部に放出される水量と、送液ホース３４から導水部１３０ｂ内部に放出される液量との比率が変化する。
【００５７】
具体的には、混合調整プレート１３ａが、例えば正方向に回転（軸部材１３ｃを中心に左回転）し、水道本管１０から放出される温水量が増大すると、送液ホース３４から放出される液量が減少する。また、混合調整プレート１３ａが逆方向に回転（軸部材１３ｃを中心に右回転）し、水道本管１０から放出される温水量が減少すると、送液ホース３４から放出される液量が増大する。
例えば、図６に示したように、水道本管１０および送液ホース３４のどちらも塞がない位置に混合調整プレート１３ａを配置させた場合、この混合調整プレート１３ａは、水道本管１０から放出される水流、送液ホース３４から放出される液流のどちらに対しても抵抗となり、それぞれの流れ方向を乱す作用がある。
【００５８】
水道本管１０を流れる温水等には水圧が生じており、当該温水等は水道本管１０内部を圧送されている。
水道本管１０の端部から放出され、混合調整プレート１３ａに当たった温水（水流）は、水道本管１０の端部と対向するように設けられた（凹面状の）円形ホール部１３ｄに衝突し、はね返るように流れ方向が変化する。
【００５９】
前述のように、溶液ジャバラタンク２２から送出される溶液は、送液ホース２４内部を圧送されており、溶液ジャバラタンク３２から送出される溶液も、送液ホース３４内部を圧送されている。
送液ホース３４の端部から放出され、混合調整プレート１３ａに当たった液流（溶液）は、混合調整プレート１３ａによって流れ方向が変化し、混合調整プレート１３ａを通過した温水（水流）、円形ホール部１３ｄによってはね返された温水（水流）等と混合され、円形コーナー部１３ｅへ向かう。
温水と溶液との混合液は、円形コーナー部１３ｅを通過することによって、さらに流れ方向が大きく変化し、混合を促進させながらシャワーホース１４の端部に流れ込む。
換言すると、導水部１３０ｂ内部に放出された温水および溶液は、蛇行するように流れ方向を変化させながらシャワーホース１４に向かって進行する。
【００６０】
前述のように、温水および溶液は、どちらも圧送されて導水部１３０ｂ内部に放出されている。そのため、導水部１３０ｂ内部において、温水および溶液がそれぞれ上記のように流れ方向を変化させながら進行すると、導水部１３０ｂの内壁等に強く接触、もしくは衝突し、温水と溶液との乱流が生じて撹拌混合が強く行われる。
上記のように、導水部１３０ｂ内部において混合された混合液は、導水部１３０ｂから相当の圧力（水圧）を有してシャワーホース１４へ送出される。
【００６１】
シャワーホース１４は、前述のようにホース孔内部に複数の凹凸（ジャバラ凹凸）を有している。
上記のように水圧を有して導水部１３０ｂ、もしくはＬ字型ジョイント部１３０から送出された混合液は、シャワーホース１４のホース孔内部を進行するとき、上記の複数の凹凸と接することによって渦流等が発生し、さらに温水と溶液との混合が促進される。
このように混合を促進させた混合液が、シャワーヘッド１４ａから放出される。
【００６２】
次にシャワーヘッド１４ａから温水のみを放出させるときの動作を説明する。
図７は、温水をシャワーヘッド１４ａから放出するときのＬ字型ジョイント部１３０の状態を示す説明図である。
前述のように、図５に示した操作レバー１３ｂが操作されて軸部材１３ｃが回転すると、この回転に応じて混合調整プレート１３ａが回転する。例えば、操作レバー１３ｂが左回転するように操作されたとき、図７において軸部材１３ｃが左回転して混合調整プレート１３ａが送液ホース３４の端部側に向かって回転する。
操作レバー１３ｂが左回転の限界まで操作されたとき、混合調整プレート１３ａは、送液ホース３４の端部に当接して塞ぐ位置まで回転し、送液ホース３４に流れる溶液を遮断する。
【００６３】
上記のように、混合調整プレート１３ａが送液ホース３４の端部を塞いでいるとき、当該混合調整プレート１３ａは、水道本管１０から導水部１３０ｂに流れ込んだ温水を、シャワーホース１４の端部に向かって導き、水圧を有する状態でシャワーホース１４に送り込む。
上記のように操作レバー１３ｂが左回転の限界まで操作されたとき、導水部１３０ｂ内部に溶液が放出されず、シャワーホース１４には温水のみが送出され、シャワーヘッド１４ａから温水シャワーが放出される。
【００６４】
なお、シャワーヘッド１４ａから温水のみを放出するときには、溶液タンク２０に収納されている溶液が温水に混合されないように、Ｌ字型ジョイント部１３の操作レバー１３ｂを左回転の限界まで操作して、Ｌ字型ジョイント部１３の内部（混合調整プレート１３ａ）を、図７に示したものと同様な状態にしておく。
上記のように、Ｌ字型ジョイント部１３ならびにＬ字型ジョイント部１３０の各操作レバー１３ｂを左回転の限界まで操作することにより、液量調整バルブ２５、液量調整バルブ３５等が開かれた状態でも、温水のみをシャワーヘッド１４ａから放出することができる。
【００６５】
次にシャワーヘッド１４ａから溶液のみを放出させるときの動作を説明する。ここでは、Ｌ字型ジョイント部１３０の動作を例示して説明する。即ち、溶液タンク３０（溶液タンク４０）に収納されている溶液を、シャワーヘッド１４ａから放出する動作を説明する。
なお、溶液タンク３０（溶液タンク４０）の溶液のみをシャワーヘッド１４ａから放出するように、Ｌ字型ジョイント部１３０の操作レバー１３ｂを設定した場合、Ｌ字型ジョイント部１３の操作レバー１３ｂが、どのような設定状態でも、Ｌ字型ジョイント部１３から水道本管１０を介してＬ字型ジョイント部１３０へ流れる温水（混合液等）は、Ｌ字型ジョイント部１３０内部において遮断される。
【００６６】
図８は、溶液をシャワーヘッド１４ａから放出するときのＬ字型ジョイント部１３０の状態を示す説明図である。
例えば、Ｌ字型ジョイント部１３０の操作レバー１３ｂが右回転するように操作されたとき、図８において軸部材１３ｃが右回転して、混合調整プレート１３ａが水道本管１０の端部側に向かって回転する。
操作レバー１３ｂが右回転の限界まで操作されたとき、混合調整プレート１３ａは、水道本管１０の端部に当接して塞ぐ位置まで回転し、水道本管１０に流れる温水等を遮断する。
【００６７】
上記のように、混合調整プレート１３ａが水道本管１０の端部を塞いでいるとき、当該混合調整プレート１３ａは、送液ホース３４から導水部１３０ｂに流れ込む溶液を、導水部１３０ｂ内部においてシャワーホース１４の端部に向かうように導き、液圧を有する状態でシャワーホース１４に送り込む。
上記のように操作レバー１３ｂが操作されたとき、導水部１３０ｂからシャワーホース１４には溶液のみが送出され、シャワーヘッド１４ａから溶液が放出される。
【００６８】
また、Ｌ字型ジョイント部１３０が図８に示した状態になっているとき、液量調整バルブ３５を閉じると、シャワーヘッド１４ａからの（温水ならびに溶液の）放出を停止させることができる。即ち、溶液のみをシャワーヘッド１４ａから放出しているとき、例えば、一時的に溶液放出を停止させたいときには、液量調整バルブ３５等を閉じるとよい。
【００６９】
なお、例えば、溶液タンク２０に収納されている溶液のみをシャワーヘッド１４ａから放出するときには、Ｌ字型ジョイント部１３の操作レバー１３ｂを右回転の限界まで操作し、Ｌ字型ジョイント部１３の内部（混合調整プレート１３ａ）を、図８に示したものと同様な状態にし、また、Ｌ字型ジョイント部１３０の操作レバー１３ｂを左回転の限界まで操作して、溶液タンク３０（溶液タンク４０）からの溶液を遮断しておく。
【００７０】
次に、身体等を洗浄するときの（シャワー装置１に行う操作）手順を説明する。
ここでは、図１のように構成されたシャワー装置１において、溶液タンク３０に収納されている溶液を用いて身体等を洗浄する場合を例示して説明する。即ち、Ｌ字型ジョイント部１３は、図７に示した状態（温水のみを送出する状態）になっている。また、切替えバルブ４５は、溶液タンク４０からの溶液を遮断して、溶液タンク３０からの溶液のみを送出するように設定されている。また、液量調整バルブ３５は、予め、適当な量の溶液がＬ字型ジョイント部１３０に供給されるように（所望の濃度の混合液が生成されるように）、開度が調整されている。
【００７１】
（１）例えば、初めに温水のみをシャワーヘッド１４ａから放出させて身体等を洗浄する。このとき、例えば、図７を用いて説明したように、Ｌ字型ジョイント部１３０の操作レバー１３ｂを左回転の限界まで操作し、また、水道本管元栓１１を開く。
（２）次に、例えば、図８を用いて説明したように、Ｌ字型ジョイント部１３０の操作レバー１３ｂを右回転の限界まで操作し、上記の温水放出を停止させるとともに、溶液のみをシャワーヘッド１４ａから放出させて身体等に塗布し、手洗い洗浄を行う。
または、操作レバー１３ｂ等を適当に回転操作して、Ｌ字型ジョイント部１３０を、図６を用いて説明した状態とし、温水と溶液との混合液の濃度を再調整、もしくは微調整して、この混合液をシャワーヘッド１４ａから放出させ、身体等に塗布して洗浄を行う。
【００７２】
（３）混合液等を用いて洗浄を行った後、図７を用いて説明したように操作レバー１３ｂを左回転の限界まで操作し（Ｌ字型ジョイント部１３０を図７の状態とし）、上記の手順（１）と同様に、シャワーヘッド１４ａから温水のみを放出させ、身体等から溶液等を洗い流す。このとき、操作レバー１３ｂのみを操作することで（液量調整バルブ３５を閉じる操作をしなくても）、溶液（混合液）の放出を遮断し、温水のみの放出に切り替えることができる。
即ち、上記の手順（１）において、液量調整バルブ３５を開いた状態としておいても、温水のみをシャワー放出することが可能である。
（４）身体等から溶液などを洗い流した後、水道本管元栓１１を閉じてシャワー装置１の使用を終了する。
【００７３】
ここでは、溶液タンク２０、溶液タンク３０、溶液タンク４０等を備えたシャワー装置１を例示して説明したが、本開示のシャワー装置１は、溶液タンク３０および溶液タンク４０等を備えず、溶液タンク２０を備えて構成することも可能である。この場合には、Ｌ字型ジョイント部１３０等が設置されず、Ｌ字型ジョイント部１３には、下流側の水道本管１０に替えてシャワーホース１４が接続固定される。
また、前述のように、例えば溶液タンク２０等に替えて図４に示した構成を備え、予備タンク等を増設することも可能である。
また、溶液タンク４０を除いて、即ち、溶液タンク２０および溶液タンク３０を備えて構成してもよい。この場合には、Ｌ字型ジョイント部１３およびＬ字型ジョイント部１３０等が備えられる。
また、溶液タンク２０を除いて、即ち、溶液タンク３０および溶液タンク４０を備えて構成してもよい。この場合には、Ｌ字型ジョイント部１３等が備えられず、Ｌ字型ジョイント部１３０が備えられる。
【００７４】
本開示のシャワー装置１は、以上のように構成されているので、洗浄剤（溶液）と温水との混合液のシャワー放出と、温水のみのシャワー放出とを任意に切り替えることができ、身体、頭髪などの洗浄を簡易化することが可能になる。また、洗浄に要する時間を短縮することができる。
また、溶液タンク２０等からＬ字型ジョイント部１３等に溶液を圧送するようにしたので、安定した（混合比が一定の）混合液を生成することができる。
また、溶液タンク２０等の内部、即ち、水圧ジャバラタンク２１等、溶液ジャバラタンク２２等を外部に取り出して清掃することができるようにしたので、容易に衛生状態を良好に維持することができる。
【産業上の利用可能性】
【００７５】
本開示の考案は、シャワー装置の他、除草剤や消毒液の散布装置、洗浄剤を使用する洗車装置、網戸などの建築部材等を洗浄する装置等に利用することができる。
【符号の説明】
【００７６】
１  シャワー装置
１０  水道本管
１１  水道本管元栓
１２ａ，１２ｂ  ジャバラホース
１３，１３０  Ｌ字型ジョイント部
１３ａ  混合調整プレート
１３ｂ  操作レバー
１３ｃ  軸部材
１３ｄ  円形ホール部
１３ｅ  円形コーナー部
１４  シャワーホース
１４ａ  シャワーヘッド
１５，１６，１７  接続キャップ
２０，３０，４０，５０，６０，７０，８０,９０  溶液タンク
２０ａ，２０ｂ  側面部
２０ｃ  底面部
２１，３１  水圧ジャバラタンク
２２，３２  溶液ジャバラタンク
２３，３３  溶液投入部
２４，２４ａ，３４，４４，３６  送液ホース
２５，３５，５５，６５，７５，８５，９５  液量調整バルブ
２６  ジャバラホースガイド部
２７  溶液投入部ガイド部
２８  上蓋部
２９  水圧ジャバラタンク接続キャップ
４５  切替えバルブ
１３０ａ  筐体
１３０ｂ  導水部
２１０  溶液ジャバラタンク接続キャップ
【図１】
0003233875.tif 000003
【図２】
0003233875.tif 000004
【図３】
0003233875.tif 000005
【図４】
0003233875.tif 000006
【図５】
0003233875.tif 000007
【図６】
0003233875.tif 000008
【図７】
0003233875.tif 000009
【図８】
0003233875.tif 000010